【手続補正書】
【提出日】令和2年4月15日(2020.4.15)
【手続補正１】
【補正対象書類名】特許請求の範囲
【補正対象項目名】全文
【補正方法】変更
【補正の内容】
【特許請求の範囲】
【請求項１】
ネットワークノード内で使用するための、チャネル状態情報参照信号（ＣＳＩ−ＲＳ）を送信する方法であって、
ワイヤレスデバイスがＣＳＩ−ＲＳを測定するために使用すべき物理リソースブロック（ＰＲＢ）のサブセットの表示を、前記ワイヤレスデバイスに送信すること（１７１４）であって、各ＣＳＩ−ＲＳがアンテナポートに関連付けられ、ＰＲＢの前記サブセットがシステム帯域幅のサブセットを含む、ＰＲＢのサブセットの表示を前記ワイヤレスデバイスに送信すること（１７１４）と、
ＰＲＢの前記表示されたサブセット上でＣＳＩ−ＲＳを送信すること（１７１６）と
を含む、方法。
【請求項２】
ワイヤレスデバイス内で使用するための、チャネル状態情報参照信号（ＣＳＩ−ＲＳ）を受信する方法であって、
前記ワイヤレスデバイスがＣＳＩ−ＲＳを測定するために使用すべき物理リソースブロック（ＰＲＢ）のサブセットの表示を受信すること（１８１２）であって、前記ＣＳＩ−ＲＳの各々がアンテナポートに関連付けられ、ＰＲＢの前記サブセットがシステム帯域幅のサブセットを含む、ＰＲＢのサブセットの表示を受信すること（１８１２）と、
ＰＲＢの前記表示されたサブセット上でＣＳＩ−ＲＳを受信すること（１８１４）と
を含む、方法。
【請求項３】
チャネル状態情報参照信号（ＣＳＩ−ＲＳ）（１３５）を送信するように動作可能なネットワークノード（１２０）であって、処理回路（２０００）を備え、前記処理回路が、
前記ワイヤレスデバイスがＣＳＩ−ＲＳを測定するために使用すべき物理リソースブロック（ＰＲＢ）のサブセットの表示をワイヤレスデバイスに送信することであって、各ＣＳＩ−ＲＳがアンテナポートに関連付けられ、ＰＲＢの前記サブセットがシステム帯域幅のサブセットを含む、ＰＲＢのサブセットの表示をワイヤレスデバイスに送信することと、
ＰＲＢの前記表示されたサブセット上でＣＳＩ−ＲＳを送信することと
を行うように動作可能である、ネットワークノード。
【請求項４】
前記処理回路が、前記ワイヤレスデバイスがＣＳＩ−ＲＳを測定するために使用すべきＰＲＢの前記サブセットの前記表示を取得するようにさらに動作可能である、請求項３に記載のネットワークノード。
【請求項５】
前記ネットワークノードが、総数のアンテナポート上でＣＳＩ−ＲＳを送信し、ＰＲＢの前記サブセットの各ＰＲＢが、前記総数のアンテナポートに対するＣＳＩ−ＲＳマッピングを含む、請求項３に記載のネットワークノード。
【請求項６】
前記ワイヤレスデバイスがＣＳＩ−ＲＳを測定するために使用すべきＰＲＢの前記サブセットが、偶数のＰＲＢを含む、請求項３から５のいずれか一項に記載のネットワークノード。
【請求項７】
前記ワイヤレスデバイスがＣＳＩ−ＲＳを測定するために使用すべきＰＲＢの前記サブセットが、奇数のＰＲＢを含む、請求項３から５のいずれか一項に記載のネットワークノード。
【請求項８】
前記ワイヤレスデバイスがＣＳＩ−ＲＳを測定するために使用すべきＰＲＢの前記サブセットの前記表示が、密度値およびコームオフセットを含む、請求項３から５のいずれか一項に記載のネットワークノード。
【請求項９】
前記密度値が１／２の密度を含み、
第１のコームオフセットが、前記ワイヤレスデバイスがＣＳＩ−ＲＳを測定するためにセットｍ１内の前記ＰＲＢを使用すべきであることを表示し、前記セットｍ１が、
2019522396.tif 000001
を含み、
第２のコームオフセットが、前記ワイヤレスデバイスがＣＳＩ−ＲＳを測定するためにセットｍ２内の前記ＰＲＢを使用すべきであることを表示し、前記セットｍ２が、
2019522396.tif 000002
を含む
請求項８に記載のネットワークノード。
【請求項１０】
前記密度値が１／３の密度を含み、
第１のコームオフセットが、前記ワイヤレスデバイスがＣＳＩ−ＲＳを測定するためにセットｍ１内の前記ＰＲＢを使用すべきであることを表示し、前記セットｍ１が、
2019522396.tif 000003
を含み、
第２のコームオフセットが、前記ワイヤレスデバイスがＣＳＩ−ＲＳを測定するためにセットｍ２内の前記ＰＲＢを使用すべきであることを表示し、前記セットｍ２が、
2019522396.tif 000004
を含み、
第３のコームオフセットが、前記ワイヤレスデバイスがＣＳＩ−ＲＳを測定するためにセットｍ３内の前記ＰＲＢを使用すべきであることを表示し、前記セットｍ３が、
2019522396.tif 000005
を含む
請求項８に記載のネットワークノード。
【請求項１１】
前記ワイヤレスデバイスがＣＳＩ−ＲＳを測定するために使用すべきＰＲＢの前記サブセットの前記表示が、インデックス値ｋを含み、前記インデックス値ｋが、前記ワイヤレスデバイスにおいて記憶された複数の表示のうちの１つを指す、請求項３から５のいずれか一項に記載のネットワークノード。
【請求項１２】
前記ワイヤレスデバイスがＣＳＩ−ＲＳを測定するために使用すべきＰＲＢの前記サブセットの前記表示が、前記ワイヤレスデバイスがＣＳＩ−ＲＳを測定すべき連続的ＣＳＩ−ＲＳサブフレームの数をさらに含む、請求項３から１１のいずれか一項に記載のネットワークノード。
【請求項１３】
前記処理回路が、前記送信されたＣＳＩ−ＲＳのうちの１つまたは複数のＣＳＩ−ＲＳの測定に基づいて決定されたチャネル状態情報（ＣＳＩ）を前記ワイヤレスデバイスから受信するようにさらに動作可能である、請求項３から１２のいずれか一項に記載のネットワークノード。
【請求項１４】
チャネル状態情報参照信号（ＣＳＩ−ＲＳ）（１３５）を受信するように動作可能なワイヤレスデバイス（１１０）であって、処理回路（１９００）を備え、前記処理回路が、
前記ワイヤレスデバイスがＣＳＩ−ＲＳを測定するために使用すべき物理リソースブロック（ＰＲＢ）のサブセットの表示を受信することであって、前記ＣＳＩ−ＲＳの各々がアンテナポートに関連付けられ、ＰＲＢの前記サブセットがシステム帯域幅のサブセットを含む、ＰＲＢのサブセットの表示を受信することと、
ＰＲＢの前記表示されたサブセット上でＣＳＩ−ＲＳを受信することと
を行うように動作可能である、ワイヤレスデバイス。
【請求項１５】
前記処理回路が、
前記受信されたＣＳＩ−ＲＳに基づいてチャネル状態情報（ＣＳＩ）を決定し、
前記ＣＳＩをネットワークノードに送信する
ようにさらに動作可能である、請求項１４に記載のワイヤレスデバイス。
【請求項１６】
ネットワークノードが総数のアンテナポート上でＣＳＩ−ＲＳを送信し、ＰＲＢの前記サブセットの各ＰＲＢが、前記総数のアンテナポートに対するＣＳＩ−ＲＳマッピングを含む、請求項１４または１５に記載のワイヤレスデバイス。
【請求項１７】
アンテナポートの前記総数が１６個より多い、請求項１６に記載のワイヤレスデバイス。
【請求項１８】
前記ワイヤレスデバイスがＣＳＩ−ＲＳを測定するために使用すべきＰＲＢの前記サブセットが、偶数のＰＲＢを含む、請求項１４から１７のいずれか一項に記載のワイヤレスデバイス。
【請求項１９】
前記ワイヤレスデバイスがＣＳＩ−ＲＳを測定するために使用すべきＰＲＢの前記サブセットが、奇数のＰＲＢを含む、請求項１４から１７のいずれか一項に記載のワイヤレスデバイス。
【請求項２０】
前記ワイヤレスデバイスがＣＳＩ−ＲＳポートを測定するために使用すべきＰＲＢの前記サブセットの前記表示が、密度値およびコームオフセットを含む、請求項１４から１７のいずれか一項に記載のワイヤレスデバイス。
【請求項２１】
前記密度値が１／２の密度を含み、
第１のコームオフセットが、前記ワイヤレスデバイスがＣＳＩ−ＲＳを測定するためにセットｍ１内の前記ＰＲＢを使用すべきであることを表示し、前記セットｍ１が、
2019522396.tif 000006
を含み、
第２のコームオフセットが、前記ワイヤレスデバイスがＣＳＩ−ＲＳを測定するためにセットｍ２内の前記ＰＲＢを使用すべきであることを表示し、前記セットｍ２が、
2019522396.tif 000007
を含む
請求項２０に記載のワイヤレスデバイス。
【請求項２２】
前記密度値が１／３の密度を含み、
第１のコームオフセットが、前記ワイヤレスデバイスがＣＳＩ−ＲＳを測定するためにセットｍ１内の前記ＰＲＢを使用すべきであることを表示し、前記セットｍ１が、
2019522396.tif 000008
を含み、
第２のコームオフセットが、前記ワイヤレスデバイスがＣＳＩ−ＲＳを測定するためにセットｍ２内の前記ＰＲＢを使用すべきであることを表示し、前記セットｍ２が、
2019522396.tif 000009
を含み、
第３のコームオフセットが、前記ワイヤレスデバイスがＣＳＩ−ＲＳを測定するためにセットｍ３内の前記ＰＲＢを使用すべきであることを表示し、前記セットｍ３が、
2019522396.tif 000010
を含む
請求項２０に記載のワイヤレスデバイス。
【請求項２３】
前記ワイヤレスデバイスがＣＳＩ−ＲＳを測定するために使用すべきＰＲＢの前記サブセットの前記表示が、インデックス値ｋを含み、前記インデックス値ｋが、前記ワイヤレスデバイスにおいて記憶された複数の表示のうちの１つを指す、請求項１４から１７のいずれか一項に記載のワイヤレスデバイス。
【請求項２４】
前記ワイヤレスデバイスがＣＳＩ−ＲＳを測定するために使用すべきＰＲＢの前記サブセットの前記表示が、前記ワイヤレスデバイスがＣＳＩ−ＲＳを測定すべき連続的ＣＳＩ−ＲＳサブフレームの数をさらに含む、請求項１４から２３のいずれか一項に記載のワイヤレスデバイス。
【請求項２５】
前記処理回路が、前記数の連続的ＣＳＩ−ＲＳサブフレームを介して前記受信されたＣＳＩ−ＲＳに基づいてチャネル状態情報（ＣＳＩ）を決定するようにさらに動作可能である、請求項２４に記載のワイヤレスデバイス。